(57)【要約】      （修正有）【課題】ミシンの糸掛け器針保護調整の構造を提供する。【解決手段】主に台座１０、糸掛け棒２０および針保護棒３０から構成する糸掛け器である。糸掛け棒の一端は下向きに台座と連接する接続棒２１、別端は宙に延伸する先端２２を具有する。針保護棒の一端は連接台３１であり、別端は宙に延伸する突出部３２を具有することで、針保護棒は並行して糸掛け棒の下方に位置する。主に針保護棒の連接台を糸掛け棒の接続棒の側面に定置付けし、互いの間に穴及び相対するネジ穴を設けることで、固定ネジ栓３５と対応して螺合する。針保護棒の連接台に調整装置を設け、針保護棒の高さ及び側面角度の位置をコントロール調整することで、確実に多数の縫い針を保護し、縫い目が飛ぶおよび縫い針が折れるなどの欠点を解決し、作業効率と品質をアップする。【選択図】図2
0003147552.tif 000002
【実用新案登録請求の範囲】
【請求項１】
台座、糸掛け棒および針保護棒を含み、
台座に下向きの支え棒を設け、糸掛け棒および針保護棒は台座上方より横向きに延伸し、
糸掛け棒の一端は下向きに台座の接続棒と連接し、別端は宙に延伸する尖端であり、接続棒と尖端の間に針穴を設け、
該針保護棒の一端は連接台であり、別端は宙に延伸する突出部を設けることで、針保護棒は並行して糸掛け棒との下方に位置し、
該針保護棒の連接台を糸掛け棒の接続棒の側面に定置付けし、互いに穴及び相対するネジ穴を設け、固定ネジ栓と対応螺合し、
該針保護棒の連接台に調整装置を設けることで、針保護棒の位置を調整コントロールすることを特徴とするミシンの糸掛け器針保護調整構造。
【請求項２】
前記糸掛け棒の接続棒の穴を縦長の楕円形にし、該固定ネジ栓を穴に通して、針保護棒の連接台にあるネジ穴と螺合し、
該連接台はネジ穴の横上下に二つの凸部を設け、該糸掛け棒の接続棒の凸部と対応する部分に二つの溝を設けることで、針保護棒及び該連接台の高さ位置の調整装置を構成することを特徴とする請求項1記載のミシン糸掛け器針保護調整構造。
【請求項３】
前記連接台の凸部の末端と、接続棒の溝は互いにマッチする円弧形に設け、連接台と接続棒との間は、距離を形成することを特徴とする請求項2記載のミシンの糸掛け器針保護調整構造。
【請求項４】
前記糸掛け棒の接続棒にネジ穴を設け、調整ネジ栓を接続棒のネジ穴に通し、相対的に針保護棒の連接台の側面を定置制止し、針保護棒及び該連接台の側面角度位置の調整装置を構成することを特徴とする請求項1或いは請求項2記載のミシンの糸掛け器針保護調整構造。
【請求項５】
前記針保護棒の連接台を横向きの座体に設け、該連接台の一端に上下に貫通する穴及び別端まで貫通する溝を設け、固定ネジ栓は連接台の穴及び貫通溝を通して、糸掛け棒の接続棒にあるネジ穴と螺合し、
該針保護棒の一端を下向きの挿入棒に設け、連接台の穴に挿入定置付けすることで、針保護棒の高さ及び側面角度位置の調整装置を構成することを特徴とする請求項1記載のミシンの糸掛け器針保護調整構造。
【請求項６】
前記針保護棒の連接台と糸掛け棒の接続棒にそれぞれ穴及び相対する固定棒を設けることを特徴とする請求項5記載のミシンの糸掛け器針保護調整構造。
【考案の詳細な説明】
【技術分野】
【０００１】
本考案はミシン糸掛け器針保護調整セットの構造に関し、特に縫い糸を引っ掛けると同時に、ミシン多数の縫い針を保護する複合式糸掛け器の構造に関する。
【背景技術】
【０００２】
一般的なミシンとロックミシンなどの設備は、必ず上方ヘッドおよび下方に相対するベースプレートを設置する。ヘッドに布押さえ装置と縫い針装置を設け、ベースプレートに布送りと糸掛け装置を設け、縫い針装置の数本の縫い針が糸と共に上下往復して布に刺しながら、糸掛け装置の糸掛け器90および糸掛け針91(図1を参照)と共に往復して縫い糸を引っ掛けることで、ミシンやロックの作業をする。
【０００３】
糸掛け器90の糸掛け針91が左右往復する際、一つの針保護装置92が片側から縫い針装置の多数の縫い針を保護する。しかしこのような片側のプロテクト設計では、なおも針が折れるあるいは縫い目が飛ぶことがあり、作業効率および品質に影響を及ぼす。
【０００４】
作業中の針折れおよび縫い目飛びの欠点を解決するため、まず糸掛け棒の真下に針保護棒を設置することで、各縫い針を保護する。針保護棒は固定した構造であるため、高さ及び側面角度の位置を調整しにくく、更なる良い保護効果を発揮するために、改善する必要があった。
【特許文献１】実開平７−２０１７８号公報
【考案の開示】
【考案が解決しようとする課題】
【０００５】
前記従来構造の欠点を解決するため、主に糸掛け棒の下方より針保護棒を延伸し、精確に針保護棒の高さ及び側面角度の位置を調整できることで、確実に数本の縫い針を保護し、縫い目が飛ぶおよび縫い針が折れるなどの状況を避けると同時に、各種の縫い目の粗さを調整することができ、作業効率と品質をアップするミシンの糸掛け器針保護調整構造を提供することを主な課題とする。
【課題を解決するための手段】
【０００６】
前記課題を解決するために、本考案は台座、糸掛け棒および針保護棒から構成する糸掛け器である。該台座に下向きの支え棒を設け、糸掛け棒および針保護棒は台座上方より横向きに延伸する。該糸掛け棒の一端は下向きに台座の接続棒と連接し、別端は宙に延伸する尖端であり、糸掛け棒の接続棒と尖端の間に針穴を設ける。針保護棒の一端は連接台であり、別端は宙に延伸する突出部を具有することで、針保護棒は並行して糸掛け棒の下方に位置する。該特徴は：該針保護棒の連接台を糸掛け棒の接続棒の片側に定置付けし、互いに一つの穴及び相対する一つのネジ穴を具有することで、一つの固定ネジ栓と対応螺合する。該針保護棒の連接台に調整装置を設け、針保護棒の位置を調整コントロールする。
【０００７】
最良実施例では、該糸掛け棒の接続棒の穴を縦長の楕円形に設け、該固定ネジ栓は穴を通じて針保護棒の連接台と対応するネジ穴と螺合する。該連接台の穴の横に凸部を設け、該糸掛け棒の接続棒は凸部に対応して、縦方向の溝を設けることで、針保護棒及び該接続台の高さ位置の調整装置を構成する。
【０００８】
更に該連接台の凸部末端は接続棒の溝と対応した円弧面を設け、該連接台と接続棒と互いの間に距離を形成する。
【０００９】
最良実施例では、該糸掛け棒の接続棒にネジ穴を設け、調整ネジ栓で接続棒のネジ穴を締め、相対的に針保護棒の連接台の側面を定置付けすることで、針保護棒及び該連接台側面角度位置の調整装置を構成する。
【００１０】
最良実施例では、該針保護棒の連接台を横向きの座体に設け、該連接台の一端に上下貫通する穴と、別端まで貫通する溝を設ける。該固定ネジ栓は連接台の穴及び貫通溝を通し、糸掛け棒の接続棒と相対するネジ穴を螺合する。該針保護棒の一端を下向きの挿入棒に設置し、相対的に連接台の穴に挿入定置付けすることで、針保護棒の高さ及び側面角度位置の調整装置を構成する。
【００１１】
更に該針保護棒の連接台と糸掛け棒の接続棒は互いに穴及び相対する固定棒を設ける。
【考案の効果】
【００１２】
本考案の糸掛け棒の下方より針保護棒を延伸することで、精確に針保護棒の高さ及び側面の角度位置を調整することができ、確実に多数の縫い針を保護し、縫い目が飛ぶおよび縫い針が折れるなどの欠点を解決すると同時に、縫い目のサイズを調整し、作業効率と品質をアップすることができる。
【考案を実施するための最良の形態】
【００１３】
図2および図3に示すように、本考案の糸掛け器はミシンの糸掛け装置に適用し、往復して縫い糸を引っ掛けると同時に、適時にミシンの多数の縫い針を保護する。図に示すように、糸掛け器は主に台座10、糸掛け棒20および二つの針保護棒30、40で構成し、組み立てて糸掛け装置の糸掛け座(図に未掲載)に固定する。
【００１４】
図2及び図3に示す第一実施例で、主に台座10、糸掛け棒20および針保護棒30を含む。台座10に下向けの支え棒11を設け、糸掛け棒20および針保護棒30は台座10の上方より横向きに延伸する。図に示すように糸掛け棒20の一端は下向きに台座10の接続棒21と連接し、別端は宙に延伸する尖端22であり、接続棒21と尖端22の間に針穴23を設ける。本考案の針保護棒30の一端は連接台31であり、別端は宙に延伸する突出部32を具有することで、針保護棒30は並行して糸掛け棒20との下方に位置し、確実に多数の縫い針を保護する。
【００１５】
図2、図3に示すように、台座10のサイドに糸掛け棒20と互いに嵌合する凸棒12と溝24を設け、ネジ栓26を穴25に通してネジ穴13で固定する。また、台座10の別側に糸掛け棒20に対応して横並行に別の針保護棒40を延伸し、二つの針保護棒30、40が共に縫い針の両サイドを保護する。図に示すように、針保護棒40の片端は底部接続部41、別端は突出部42を設け、台座10頂部と接続部41との間に相対するネジ穴14と穴43を設け、ネジ栓などの固定部品44で固定し、更に相対する固定棒15および穴45で定置付けする。
【００１６】
本考案の第一実施例で、主に針保護棒30の連接台31を糸掛け棒20の接続棒21の側面に定置付けし、互いの間に穴27及び相対するネジ穴33を設けることで、固定ネジ栓35と対応して螺合する。針保護棒30の連接台31に調整装置を設け、針保護棒30の高さ及び側面角度の位置をコントロール調整することで、確実に多数の縫い針を保護し、縫い目が飛ぶおよび縫い針が折れるなどの欠点を解決する。
【００１７】
図2〜図5に示すベスト調整組立構造で、糸掛け棒20の一端である接続棒21の穴27を縦長の楕円形にし、固定ネジ栓35を穴27に通して、針保護棒30の連接台31にあるネジ穴33と螺合する。また、連接台31はネジ穴33の横上下に二つの凸部34を設け、糸掛け棒20の接続棒21の凸部34と対応する部分に二つの溝29を設けることで、針保護棒30及び該連接台31の高さ位置の調整装置を構成する。更に図6、図7に示すように、針保護棒30の連接台31は凸部34、固定ネジ栓35の設計を介し、それぞれ糸掛け棒20の溝29、穴27と合わせて、上下位置移動し、高さの位置を調整する。
【００１８】
引き続き第一実施例の針保護棒30の調整組立構造を説明する。図3、図5及び図8に示すように、該連接台31の凸部34の末端と、接続棒21の溝29は互いにマッチする円弧形に設ける。また、連接台31と接続棒21との間は、距離を形成する。最良実施例では、該糸掛け棒20の接続棒21にネジ穴28を設け、調整ネジ栓36を接続棒21のネジ穴28に通し、相対的に針保護棒30の連接台31の側面を定置制止することで、針保護棒30及び該連接台31の側面角度位置の調整装置を構成する。図8〜図10に示すように、実際に応じて固定ネジ栓35及び調整ネジ栓36を回すことで、針保護棒30の側面角度位置を調整コントロールする。針保護棒30の凸部34が糸掛け棒20の溝29と抵触することで、サポートポイントの役割を担う。
【００１９】
図11〜図13に示す第二実施例では、糸掛け棒50と同様に接続棒51、先端52、針穴53及び溝54を設け、ネジ栓56を穴55に通し、台座10にあるネジ穴13と螺合する。図に示すように、針保護棒60の連接台61を横向きの座体に設け、該連接台60の一端に上下に貫通する穴66及び別端まで貫通する溝67を設ける。固定ネジ栓65は連接台61の穴63及び貫通溝67を通して、糸掛け棒50の接続棒51にあるネジ穴57と螺合する。該針保護棒60の一端を下向きの挿入棒64に設け、連接台61の穴66に挿入定置付けすることで、針保護棒60及び該突出部62の高さ及び側面角度位置の調整装置を構成する。同時に針保護棒60の連接台61と糸掛け棒50の接続棒51にそれぞれ穴58、68及び相対する固定棒59を設けることで、確実に組立定置付けする。実際調整する際、まず固定ネジ栓65を緩め、図12及び図13に示すように針保護棒60の高さ位置を調整し、同時に針保護棒60の側面角度位置を調整してから固定ネジ栓65を締めると、連接台61の穴66が、しっかりと針保護棒60の挿入棒64を固定する。
【００２０】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【図面の簡単な説明】
【００２１】
【図１】従来技術の糸掛け器の立体図である。
【図２】本考案第一実施例の糸掛け器針保護調整組立立体図である。
【図３】図2の関連部品の立体分解図である。
【図４】図2の糸掛け棒の別側立体図である。
【図５】図2の部分部品断面図である。
【図６】図5の針保護棒の上位に移動する動作図である。
【図７】図5の針保護棒の下位に移動する動作図である。
【図８】図5の糸掛け棒組立針保護棒の局部断面俯瞰図である。
【図９】図8の針保護棒角度調整動作図である。
【図１０】図9の針保護棒の反対方向の角度調整動作図である。
【図１１】本考案第二実施例の糸掛け器針保護調整組立立体図である。
【図１２】図11の関連部品立体分解図である。
【図１３】図11の針保護棒の上位に移動する動作図である。
【図１４】図11の針保護棒の下位に移動する動作図である。
【図１５】図11の針保護棒角度調整動作図である。
【図１６】図11の針保護棒の反対方向の角度調整動作図である。
【符号の説明】
【００２２】
10  台座    
11  支え棒
12  凸棒    
13  ネジ穴  
14  ネジ穴      
15  固定棒      
20  糸掛け棒  
21  接続棒      
22  先端        
23  針穴  
24  溝      
25  穴      
26  ネジ栓  
27  穴        
28  ネジ穴      
29  溝  
30  針保護棒    
31  連接台        
32  突出部        
33  ネジ穴    
34  凸部          
35  固定ネジ栓        
36  調整ネジ栓  
40  針保護棒  
41  連接部            
42  突出部    
43  穴  
44  ネジ栓      
45  穴        
50  糸掛け棒  
51  接続棒
52  先端    
53  針穴    
54  溝      
55  穴      
56  ネジ栓  
57  ネジ穴    
58  穴        
59  固定棒  
60  針保護棒  
61  連接台  
62  突出部  
63  穴    
64  挿入棒    
65  固定ネジ栓
66  穴        
67  溝  
68  穴    
【図１】
0003147552.tif 000003
【図２】
0003147552.tif 000004
【図３】
0003147552.tif 000005
【図４】
0003147552.tif 000006
【図５】
0003147552.tif 000007
【図６】
0003147552.tif 000008
【図７】
0003147552.tif 000009
【図８】
0003147552.tif 000010
【図９】
0003147552.tif 000011
【図１０】
0003147552.tif 000012
【図１１】
0003147552.tif 000013
【図１２】
0003147552.tif 000014
【図１３】
0003147552.tif 000015
【図１４】
0003147552.tif 000016
【図１５】
0003147552.tif 000017
【図１６】
0003147552.tif 000018